(57)【要約】【課題】光線投射距離を増加し、照明及び警告表示の輝度を高めることができる照明装置を提供することにある。【解決手段】本考案の照明装置（Ａ）は、ハウジング（１）、回路板（２）、透光カバー（３）を含み、そのうち前記ハウジング（１）が開口（１１）と底部（１２）を備え、開口と底部の間に載置部（１３）が設けられ、前記載置部上に前記回路板（２）が設置され、前記透光カバー（３）が前記開口箇所に設置され、かつ前記透光カバー（３）に膨出区域（３３）が環状に形成され、前記膨出区域により照明装置の光線投射距離を増加し、照明及び警告表示の輝度を高めることができる。【選択図】図３
0003179912.tif 000002
【実用新案登録請求の範囲】
【請求項１】
照明装置であって、ハウジングと、回路板と、透光カバーと、底蓋を含み、
前記ハウジングが開口と底部を備え、かつ前記開口と底部の間に載置部が設けられ、前記載置部上に第１集光座体が設置され、前記第１集光座体が前記開口の位置に穿孔を備え、
前記回路板が前記載置部上に設置され、前記回路板上に給電モジュールに電気的に接続された少なくとも１つの発光素子と制御モジュールが設置され、
前記透光カバーが、前記第１集光座体と前記発光素子に被せるように前記ハウジングの開口箇所に設置され、かつ前記透光カバーに膨出区域が環状に形成され、
前記底蓋が前記ハウジングの底部に設置され、かつ前記底蓋の位置に磁性部材が設置されたことを特徴とする、照明装置。
【請求項２】
前記ハウジングの側面に充電孔が穿設され、前記充電孔に相対する位置に前記給電モジュールの充電ソケットと充電池が設置されたことを特徴とする、請求項１に記載の照明装置。
【請求項３】
前記透光カバーの前記第１集光座体に相対する他端に第２集光座体が設置され、前記透光カバーの第２集光座体が設置された一端の位置に、前記透光カバー及び前記第２集光座体を覆う蓋体が設置されたことを特徴とする、請求項１に記載の照明装置。
【請求項４】
前記載置部が少なくとも１つの通路を備えたことを特徴とする、請求項１に記載の照明装置。
【請求項５】
前記回路板にスイッチが電気的に接続され、前記スイッチと前記制御モジュールの組み合わせにより前記発光素子の発光状態が制御され、かつ前記スイッチが前記ハウジング側面のスイッチ孔に設置されたことを特徴とする、請求項１に記載の照明装置。
【請求項６】
前記回路板がさらに充電インジケータを含むことを特徴とする、請求項１に記載の照明装置。
【請求項７】
前記給電モジュールがさらに保護ユニットを含むことを特徴とする、請求項１に記載の照明装置。
【請求項８】
前記ハウジングの充電孔の位置に、前記充電ソケットを覆う側面カバーが設置されたことを特徴とする、請求項２に記載の照明装置。
【請求項９】
前記蓋体上にリングが設置されたことを特徴とする、請求項３に記載の照明装置。
【考案の詳細な説明】
【技術分野】
【０００１】
本考案は照明装置に関し、特に、光線の投射距離を増加し、照明及び警告表示の輝度を高めた照明装置に関する。
【背景技術】
【０００２】
人々がレジャー生活におけるレジャー活動を重視するようになるにつれて、多様なレジャー活動及びレジャー用品が相次いで発売され、例えば野外キャンプ用のテントや炊事用具、ランプ等があるが、テントまたは炊事用具、ランプのどれも野外キャンプではよく使用される用品であり、特にランプは野外使用の目的を達するため、主に軽便さと小型化が要求される。
【０００３】
このため、多くのキャンプ用ランプは、旧来から手提げ式ランプや吊り下げ式ランプ等があり、これら旧来の手提げ式ランプまたは吊り下げ式ランプはいずれも電球を発光の光源としているが、現在のキャンプ用ランプは主に輝度が高い発光ダイオード(Ｌｉｇｈｔ−ｅｍｉｔｔｉｎｇ  ｄｉｏｄｅ、以下ＬＥＤと呼ぶ)を使用しており、大型であったキャンプ用ランプも現在では携帯可能な小型のキャンプ用ランプに変化を遂げている。
【０００４】
特に、従来のキャンプ用ランプは通常照明と警告表示の効果を兼ね備えているが、単一の発光素子のみの利用では発生する輝度が不足することがあり、また警告表示モード下では単一の発光素子を利用して連続的に電力切断と通電を繰り返して光源を点滅させることがあるが、その場合、通電時には発光素子の輝度が充分であり、電力切断時には発光素子が完全に発光しないようにする必要があるが、照明と警告表示のどちらの状態下でも、単一の素子で発光を行っているため、単一の発光素子のみを備えたキャンプ用ランプは、照明効果の照明輝度が劣るほか、効果的に警告表示の効果を達することもできない。
【０００５】
以上で述べたように、従来の技術には次のような欠点がある。
１．照明輝度が劣る。
２．警告表示の効果を効果的に達することができない。
【０００６】
このため、上述の従来品から派生する各欠点に鑑み、本案の考案者は豊富な知識と関連業界に従事した長年の経験に基づき、改良のための研究を重ね、本件の照明装置の考案に至ったものであり、本考案は、照明及び警告表示の効果を増進することができる創作である。
【考案の概要】
【考案が解決しようとする課題】
【０００７】
上述の従来技術の欠点を解決するため、本考案の主な目的は、光線の投射距離を増加し、照明及び警告表示の輝度を高めることができる照明装置を提供することにある。
【課題を解決するための手段】
【０００８】
上述の目的を達するため、本考案の照明装置は、ハウジング、回路板、透光カバーを含み、そのうち、前記ハウジングは開口及び底部を備え、かつ前記ハウジングは開口と底部間に載置部を備え、前記載置部上に第１集光座体が設置され、前記第１集光座体は穿孔を備え、開口位置に向かって延伸され、前記回路板は前記載置部上に設置され、前記回路板上に発光素子と制御モジュールが設置され、前記透光カバーは前記第１集光座体と発光素子に被せるようにハウジングの開口に設置され、かつ前記透光カバーに膨出区域が環状に形成された構成を有している。
【考案の効果】
【０００９】
上述の構成を有することにより、本考案に係る照明装置は、前記透光カバーの膨出区域を通して光線の投射距離を増加し、照明及び警告表示の輝度を高めることができる。
【図面の簡単な説明】
【００１０】
【図１】本考案の照明装置の実施例１の立体分解図である。
【図２】本考案の照明装置の実施例１の立体外観図である。
【図３】本考案の照明装置の実施例１の断面図である。
【図４】本考案の照明装置の実施例２の立体外観図である。
【考案を実施するための形態】
【００１１】
本考案の上述の目的及びその構造と機能上の特性について、以下図面と最良の実施例に基づき詳細に説明する。
【実施例１】
【００１２】
図１、図２、図３に本考案の照明装置の実施例１の立体分解図、立体外観図、断面図をそれぞれ示す。これらの図に示すように、本考案の照明装置Ａは、ハウジング１、回路板２、透光カバー３を含む。
【００１３】
前記ハウジング１は上下に開口１１と底部１２を備え、かつ前記ハウジング１の開口１１及び底部１２間に載置部１３が設けられ、本実施例において、前記載置部１３は前記開口１１を底部１２まで連通させる通路１３１を備え、且つ前記載置部１３上に第１集光座体１３２が設置され、前記第１集光座体１３２の側辺が前記載置部１３上に架設され、前記第１集光座体１３２の中心位置が前記開口１１方向に延伸され、かつ前記開口１１の位置に穿孔１３２１が形成され、また前記ハウジング１の側面に充電孔１４及びスイッチ孔１５が穿設され、底部１２に底蓋１６が設置される。
【００１４】
前記回路板２は前記載置部１３上に設置され、かつ前記回路板２上に少なくとも１つの発光素子２１及び充電インジケータ２２、制御モジュール２３が設置され、前記発光素子２１は穿孔１３２１を通じて第１集光座体１３２上に露出され、さらに前記回路板２には給電モジュール２４が電気的に接続され、前記給電モジュール２４は充電ソケット２４１、充電池２４２、スイッチ２４３を備え、前記充電ソケット２４１は充電孔１４の位置に設けられ、かつ側面カバー２４４を設置して前記充電ソケット２４１を被覆してもよく、前記スイッチ２４３はスイッチ孔１５の位置に設置され、かつ前記スイッチ２４３と前記制御モジュール２３の組み合わせで前記発光素子２１の発光状態を制御し、前記発光素子２１が発生する光源の弱い光、強い光、または警告表示の点滅光等の発光状態を制御でき、かつ前記給電モジュール２４はさらに保護ユニット２４５を備え、前記保護ユニット２４５は前記充電池２４２の充電完了時に充電を停止し、前記回路板２及び給電モジュール２４に過熱、焼き付きの現象が生じたとき自動的に給電を切断して、充電池２４２及び回路板２と給電モジュール２４上の電子部品を保護すると共に、照明装置の使用寿命を延長する。
【００１５】
前記透光カバー３は、前記第１集光座体１３２及び発光素子２１に被せるようにハウジング１の開口１１に設置され、かつ前記発光素子２１の周囲を囲み、前記透光カバー３には膨出区域３３が環状に形成され、前記膨出区域３３は本実施例において該透光カバー３の外周に沿って均等に凸状に膨出した環状の周壁として形成され、且つ透光カバー３内は真っ直ぐな筒状を呈し、前記膨出区域３３を通して前記発光素子２１の発生する光源の光線投射距離を増加し、照明輝度を高めることができ、かつ膨出区域３３が３６０度にわたって前記発光素子２１を囲んでおり、いかなる物品にも阻害されていないため、発光素子２１の光源が盲点なく３６０度の照明を提供でき、また発光素子２１が発生する光源が警告表示の点滅光である場合は、警告表示の輝度を高めることができる。前記透光カバー３の第１集光座体１３２に相対する他端に第２集光座体３１及び蓋体３２が設置され、前記蓋体３２は前記透光カバー３の第２集光座体３１の位置に設置され、かつ前記透光カバー３及び第２集光座体３１を覆って設置される。そのうち前記第１集光座体１３２及び第２集光座体３１は照明装置Ａの輝度を効果的に高めることができ、これにより前記照明装置Ａは前記膨出区域３３により光線の投射距離を増加し、照明及び警告表示の輝度を向上することができる。
【００１６】
また、前記照明装置Ａは前記底部の底蓋１６の位置に磁性部材４が設置され、前記磁性部材４により磁性を備えた装置上に前記照明装置Ａを吸着させ、前記照明装置Ａを便利に固定して照明の効果を達することができる。
【実施例２】
【００１７】
図４に本考案の実施例２の立体外観図を示す。この図に示すように、本実施例は前述の実施例１とほぼ同じであるため、重複する部分については説明を省略するが、本実施例と前述の実施例１とが異なる点は、前記照明装置Ａの蓋体３２上にリング５が設置され、前記リング５により前記照明装置Ａを便利に掛けて設置し、照明の効果を達することができる点である。
【産業上の利用可能性】
【００１８】
本考案は上記の如く構成することによって、使用時に光線の投射距離を増加し、照明及び警告表示の輝度を高めることができることから、とくに野外で用いる照明装置として好適に用いられるものである。
【符号の説明】
【００１９】
Ａ        照明装置
１        ハウジング
１１      開口
１２      底部
１３      載置部
１３１    通路
１３２    第１集光座体
１３２１  穿孔
１４      充電孔
１５      スイッチ孔
１６      底蓋
２        回路板
２１      発光素子
２２      充電インジケータ
２３      制御モジュール
２４      給電モジュール
２４１    充電ソケット
２４２    充電池
２４３    スイッチ
２４４    側面カバー
２４５    保護ユニット
３        透光カバー
３１      第２集光座体
３２      蓋体
３３      膨出区域
４        磁性部材
５        リング
【図１】
0003179912.tif 000003
【図２】
0003179912.tif 000004
【図３】
0003179912.tif 000005
【図４】
0003179912.tif 000006